【手続補正書】
【提出日】平成19年11月29日(2007.11.29)
【手続補正１】
【補正対象書類名】明細書
【補正対象項目名】特許請求の範囲
【補正方法】変更
【補正の内容】
【特許請求の範囲】
【請求項１】  作業機械において使用するため及び可変容量油圧ポンプの容量制御のために適用可能な荷重検知油圧制御装置（システム）において、ポンプがポンプコントローラ及びポンプ制御要素を具備しており、この制御装置（システム）が、
ヘッド端部とロッド端部を有する少なくとも一つの作動シリンダと、
該作動シリンダのヘッド及びロッド端部と、それの運転を制御するために、流体的に連絡する少なくとも一つの制御弁と、
該作動シリンダのヘッド端部における流体圧力を検知するために、該作動シリンダのヘッド端部及び該少なくとも一つの制御弁との流体的な連絡に配置された第１のセンサであって、該作動シリンダのヘッド端部に作用する負荷を表す信号を出力する該センサと、
該作動シリンダのロッド端部における流体圧力を検知するために、該作動シリンダのロッド端部及び該少なくとも一つの制御弁との流体的な連絡に配置された第２のセンサであって、該作動シリンダのロッド端部に作用する負荷を表す信号を出力する該センサと、
該第１と第２のセンサと、それからの信号を受信するために接続する制御装置であって、該作動シリンダのヘッド端部に作用する負荷を表す該第１のセンサからの信号、及び該作動シリンダのロッド端部に作用する負荷を表す該第２のセンサからの信号を受信するように運転可能な該制御装置と、
入り口と出口を有する信号複写弁であって、出口がポンプコントローラに流体的に連絡する信号複写弁と、
該信号複写弁の入り口に流体的に連絡する流体圧力源と、更に
ポンプコントローラへの流体圧力を検知するために、ポンプコントローラ及び該信号複写弁の出口との流体的な連絡に配置された第３のセンサであって、ポンプコントローラに連絡する流体圧力を表す該制御装置への信号を出力する該第３のセンサと、
を具備する制御装置であって、
該制御装置が、該第１と第２のセンサから受信された信号に対応して、信号複写弁に信号を出力しており、該出力信号が該第１と第２のセンサにより検知された最大の圧力を表す代表的信号であり、
該信号複写弁が、該制御装置から出力された該信号に対応して、該圧力源からポンプコントローラへ、流体の流れを該信号複写弁を通過可能にするように運転可能であり、該信号複写弁からポンプコントローラへの流体の流れが、該第１と第２のセンサにより検知される最大の圧力に一致するように、ポンプコントローラによるポンプ制御要素の位置の調整を可能にするように運転可能な荷重検知信号である
制御装置（システム）。
【請求項２】  該制御装置が、該第３のセンサからの信号を連続的に監視すること及び所定の圧力を維持するために該信号複写弁へ出力信号を調整することにより、ポンプコントローラへ適切な荷重検知信号を維持する請求項１に記載の荷重検知油圧制御装置。
【請求項３】  該流体圧力源が、該信号複写弁の入り口と流体的に連絡するパイロットポンプを具備しており、該パイロットポンプが前もって決められた圧力で運転可能である請求項１に記載の荷重検知油圧制御装置。
【請求項４】  該パイロットポンプの前もって決められた運転圧力が、該作動シリンダの最大運転圧力より小さい請求項３に記載の荷重検知油圧制御装置。
【請求項５】  該圧力源が、ポンプ及び該信号複写弁の入り口と流体的に連絡するアキュミュレータを具備する請求項１に記載の荷重検知油圧制御装置。
【請求項６】  該制御装置が入り口及び出口を有するチャージバルブを具備しており、該チャージバルブの入り口がポンプ及び該アキュミュレータと流体的に連絡しており、該チャージバルブの出口がポンプコントローラと流体的に連絡しており、該アキュミュレータが前もって決められた圧力に到達した時に、該チャージバルブが閉じるように運転可能であり、該チャージバルブが、無負荷状態の下でポンプのための最小の流れのレベルを確立するために、ポンプコントローラに荷重検知信号を提供するように更に運転可能である請求項５に記載の荷重検知油圧制御装置。
【請求項７】  アキュミュレータからポンプへと該チャージバルブの入り口へとの流体の流れを妨げるために、該ポンプ、該チャージバルブの入り口及び該アキュミュレータとの流体的な連絡に配置される逆止弁を具備する請求項６に記載の荷重検知油圧制御装置。
【請求項８】  該信号複写弁の入り口から該アキュミュレータへの流体の流れを妨げるために、該信号複写弁の入り口及び該アキュミュレータとの流体的な連絡に配置される逆止弁を具備する請求項５に記載の荷重検知油圧制御装置。
【請求項９】  該パイロットポンプ及び該信号複写弁の入り口と流体的に連絡する圧力逃がし弁を具備しており、該信号複写弁の入り口への流体の流れが前もって決められた圧力に到達した時に、該圧力逃がし弁が開くように運転可能である請求項３に記載の荷重検知油圧制御装置。
【請求項１０】  作業機械において使用するため及び可変容量油圧ポンプの容量制御のために適用可能な荷重検知油圧制御装置において、ポンプがポンプコントローラ及びポンプ制御要素を具備しており、この制御装置が、
少なくとも一つの作動手段と、
該作動手段に、それの運転を制御するために、流体的に連絡する少なくとも一つの制御弁と、
該作動手段への流体圧力を検知するために、該作動手段及び該少なくとも一つの制御弁との流体的な連絡に配置された少なくとも一つのセンサであって、該作動手段に作用する負荷を表す信号を出力する該少なくとも一つのセンサと、
該少なくとも一つのセンサに、それからの信号を受信するために接続する制御装置であって、該作動手段に作用する負荷を表す、該少なくとも一つのセンサからの信号を受信するように運転可能な該制御装置と、
入り口と出口を有する信号複写弁であって、出口がポンプコントローラに流体的に連絡する信号複写弁と、
該信号複写弁の入り口に流体的に連絡する流体圧力源と、更に
ポンプコントローラへの流体圧力を検知するために、ポンプコントローラ及び該信号複写弁の出口との流体的な連絡に配置されたセンサであって、ポンプコントローラに連絡する流体圧力を表す、該制御装置への信号を出力する該センサと、
を具備する制御装置であって、
該制御装置が、該少なくとも一つのセンサから受信した信号に対応して、信号複写弁に信号を出力しており、該出力信号が該少なくとも一つのセンサにより検知された最大の圧力を表す代表的信号であり、
該信号複写弁が、該制御装置から出力された該信号に対応して、該流体圧力源からポンプコントローラへ、流体の流れを該信号複写弁を通過可能にするように運転可能であり、該信号複写弁からポンプコントローラへの流体の流れが、該少なくとも一つのセンサにより検知される最大の圧力に一致するように、ポンプコントローラによるポンプ制御要素の位置の調整を可能にするように運転可能な荷重検知信号である
制御装置。
【請求項１１】  該制御装置が、ポンプコントローラ及び該信号複写弁の出口との連絡に配置されたセンサからの信号を連続的に監視すること及び所定の圧力を維持するために該信号複写弁へ出力信号を調整することにより、ポンプコントローラへ適切な荷重検知信号を維持する請求項１０に記載の荷重検知油圧制御装置。
【請求項１２】  該信号複写弁の入り口と流体的に連絡する該流体圧力源が、ポンプ及び該信号複写弁の入り口と流体的に連絡するアキュミュレータを具備する請求項１０に記載の荷重検知油圧制御装置。
【請求項１３】  該信号複写弁の入り口と流体的に連絡する該流体圧力源が、該信号複写弁の入り口と流体的に連絡するパイロットポンプを具備しており、該パイロットポンプが前もって決められた圧力で運転可能である請求項１０に記載の荷重検知油圧制御装置。
【請求項１４】  該少なくとも一つの作動手段が油圧シリンダを具備する請求項１０に記載の荷重検知油圧制御装置。